(57)【要約】【課題】操作者の利便性を極力維持しつつ、装置の設置環境の動的な変化に応じて適切な情報保護を実現する。【解決手段】ＭＦＰ１は、自装置へのユーザＢの接近を検出すると、画像ｘ，画像ｙのサムネイル５１ｘ，５１ｙについては元の表示を維持する一方で、ユーザＢに閲覧権限のない画像ｚのサムネイル６１ｚをカラー表示からモノクロ表示へと切り替えることで、サムネイル６１ｚがユーザＢにのぞき見されたとしても内容が知られる可能性を低減する。【選択図】図７
2008283578.tif 000002
【特許請求の範囲】
【請求項１】
ログイン中のユーザを識別する識別手段と、
１以上の画像または音声を認知可能に出力する出力手段と、
所定の領域内に存在する前記識別されたユーザ以外の他ユーザを検出する検出手段と、
他ユーザが検出された場合に、当該検出された他ユーザに関して権限外の画像または音声を対象として、出力状態を認知困難に変更させる出力制限手段と、
を備えることを特徴とする画像処理装置。
【請求項２】
前記認知可能な出力が、１以上の画像を視覚的に表示することであり、
前記出力制限手段は、前記権限外の画像を対象として、その表示状態を視覚的に低下させる
ことを特徴とする請求項１に記載の画像処理装置。
【請求項３】
前記出力制限手段は、表示解像度を落とすことにより、表示状態を低下させる
ことを特徴とする請求項２に記載の画像処理装置。
【請求項４】
前記出力制限手段は、前記権限外の画像の表示輝度及び／またはコントラストを低下させることにより、表示状態を低下させることを特徴とする請求項２に記載の画像処理装置。
【請求項５】
前記出力制限手段は、カラー表示の前記権限外の画像をモノクロ表示に変更させることにより、表示状態を低下させることを特徴とする請求項２に記載の画像処理装置。
【請求項６】
前記出力制限手段は、前記検出された他ユーザに関して、
権限外の画像または音声については、その表示状態を変更させ、
権限内の画像または音声については、その表示状態を変更させない
ことを特徴とする請求項１に記載の画像処理装置。
【請求項７】
前記閲覧状態変更手段は、出力している画像または音声の中に、検出された他ユーザに関して権限外のものが含まれる場合には、ログイン状態を解除させることにより、前記画像または音声の出力を中止させる
ことを特徴とする請求項１に記載の画像処理装置。
【請求項８】
前記出力手段は、前記画像を視認可能に面表示する表示パネルであって、
前記出力制限手段は、前記権限外の画像を表示する表示パネルの視野角を狭くすることで、その表示状態を視覚的に低下させることを特徴とする請求項１に記載の画像処理装置。
【請求項９】
前記出力手段は、前記画像を視認可能に面表示する表示パネルであって、
前記出力制限手段は、前記表示パネルの周囲に仕切り板を立てる
ことを特徴とする請求項１に記載の画像処理装置。
【請求項１０】
さらに、前記他ユーザ検出手段により他ユーザが検出された場合に、検出の旨と出力状態の変更に関する警告メニューを表示する警告メニュー表示手段と、
表示された警告メニュー上で操作を受け付ける受付手段とを備え、
前記出力制限手段は、受け付け結果に応じて、出力状態を変更させる、または変更させない
ことを特徴とする請求項１に記載の画像処理装置。
【請求項１１】
前記メニュー表示手段が表示するメニューは、
閲覧状態を変更しない、前記権限外の画像の視認性を低下させる、またはログイン状態を解除する、の選択項目を含む、
ことを特徴とする請求項１０に記載の画像処理装置。
【請求項１２】
前記メニュー表示手段は、検出された他ユーザのユーザ名を表示する
ことを特徴とする請求項１０または１１に記載の画像処理装置。
【請求項１３】
前記認知可能な出力が、１以上の音声を再生するものであり、
前記出力制限手段は、前記権限外の音声を対象として、その再生状態を低下させる
ことを特徴とする請求項１に記載の画像処理装置。
【請求項１４】
前記出力制限手段は、出力状態の変更後、検出手段による検出中の前記他ユーザが検出されなくなったことを契機として、出力状態を復帰させる
ことを特徴とする請求項１から１３のいずれかに記載の画像処理装置。
【請求項１５】
さらに、前記他ユーザが検出されなくなったことを契機として、不検出の旨と出力状態の復帰に関する復帰メニューを表示する復帰メニュー表示手段と、
表示された復帰メニュー上で操作を受け付ける受付手段を備え、
前記出力制限手段は、受け付け結果に応じて、出力状態を復帰させる、または復帰させない
ことを特徴とする請求項１４に記載の画像処理装置。
【請求項１６】
さらに、出力すべき画像の画像または音声の音声それぞれの重要度と、ユーザ毎の重要度との少なくとも１つに関する設定内容を含む設定メニューを表示する設定メニュー表示手段と、
表示された設定メニュー上で設定を受け付ける設定受付手段とを備え、
前記出力制限手段は、受け付けた設定内容に基づいて、出力中の画像または音声が前記他ユーザに関して権限外か否かを判断する
ことを特徴とする請求項１から１５に記載の画像処理装置。
【請求項１７】
前記設定メニュー表示手段が表示する設定メニューは、複数の画像を含む画像グループと複数の音声を含む音声グループとを区別して表示し、各グループの重要度を一括して設定可能な選択肢を含むこと
を特徴とする請求項１６に記載の画像処理装置。
【請求項１８】
さらに、前記他ユーザ検出手段により他ユーザが検出された場合に、検出の旨と、出力中の画像に対応する画像データ及び／または音声に対応する音声データそれぞれの重要度に関する設定メニューを表示する設定メニュー表示手段を備える
ことを特徴とする請求項１から１７に記載の画像処理装置。
【請求項１９】
前記出力手段は１以上の画像を視認可能に出力し、
前記出力制限手段は、出力中の画像のうちの所定画像について、その画像中の一部領域のみの視認性を低下させる
ことを特徴とする請求項２に記載の画像処理装置。
【請求項２０】
ログイン中のユーザを識別する識別ステップと、
１以上の画像または音声を認知可能に出力する出力ステップと、
所定の領域内に存在する前記識別されたユーザ以外の他ユーザを検出する検出ステップと、
他ユーザが検出された場合に、当該検出された他ユーザに関して権限外の画像または音声を対象として、出力状態を認知困難に変更させる出力制限ステップと、
を含むことを特徴とする画像処理装置における出力方法。
【請求項２１】
ログイン中のユーザを識別するユーザ識別手段と、
１以上の画像または音声を認知可能に出力する出力手段と、
所定の領域内に接近する物を検出する検出手段と、
所定物が検出された場合に、出力中の画像または音声のうち、一部の画像または音声を対象として、出力状態を認知困難に変更させる出力制限手段と、
を備えることを特徴とする画像処理装置。
【発明の詳細な説明】
【技術分野】
【０００１】
本発明は、画像処理装置において処理対象の画像を表示する技術に関する。
【背景技術】
【０００２】
画像処理装置として、例えばMFP(Multi Function Peripheral)は、画像のプリントやＦＡＸ送信などの処理の際に、処理対象となる画像を表示する表示パネルを有している。
従来から、画像の情報保護を図るべく、画像を記憶する記憶領域毎に使用を許可するユーザ情報を予め登録しておき、認証後に画像の表示を行う技術がある（例えば、特許文献１参照。）。
【特許文献１】特開2005-051336号公報
【発明の開示】
【発明が解決しようとする課題】
【０００３】
しかしながら上記技術においては、画像処理装置は多数の人が出入りする場所（オフィス、コンビニなど）に設置される傾向にあるため、表示パネル上の画像が操作者の肩越しにのぞき見（盗み見）されてしまう危険性は残っている。
このようなのぞき見に対しては、表示パネル上の画像の視認性を常時低下させることも考えられるが、操作者の利便性を損なってしまう。また、装置の設置場所の周囲の状況は刻々と変化するところ、例えば操作者の周囲が無人の場合には、のぞき見されるおそれはない。
【０００４】
本発明は上述の問題に鑑みてなされたものであって、処理対象となる画像を表示する画像処理装置において、操作者の利便性を極力維持しつつ、装置の設置環境の動的な変化に応じて適切な情報保護を実現することが可能な画像処理装置を提供することを目的としている。
【課題を解決するための手段】
【０００５】
本発明に係る画像処理装置は、ログイン中のユーザを識別する識別手段と、１以上の画像または音声を認知可能に出力する出力手段と、所定の領域内に存在する前記識別されたユーザ以外の他ユーザを検出する検出手段と、他ユーザが検出された場合に、当該検出された他ユーザに関して権限外の画像または音声を対象として、出力状態を認知困難に変更させる出力制限手段と、を備えることを特徴としている。
【０００６】
また、画像処理装置における出力方法は、ログイン中のユーザを識別する識別ステップと、１以上の画像または音声を認知可能に出力する出力ステップと、所定の領域内に存在する前記識別されたユーザ以外の他ユーザを検出する検出ステップと、他ユーザが検出された場合に、当該検出された他ユーザに関して権限外の画像または音声を対象として、出力状態を認知困難に変更させる出力制限ステップと、を含むことを特徴とする。
【発明の効果】
【０００７】
課題を解決するための手段に記載した構成によれば、例えば、画像または音声を認知可能に出力している場合に、出力した画像または音声の周囲の領域内に、他ユーザが検出された際に、この他ユーザに関して権限外の画像または音声の出力状態を認知困難に変更させるので、装置を操作するログイン中のユーザが見せたくない画像が他ユーザにのぞかれて内容が知られたり、音声が盗み聞きされてしまうことを防止することができる。
【０００８】
また、前記認知可能な出力が、１以上の画像を視覚的に表示することであり、前記出力制限手段は、前記権限外の画像を対象として、その表示状態を視覚的に低下させるとしても構わない。
また、前記出力制限手段は、表示解像度を落とすことにより、表示状態を低下させるとしても構わない。
【０００９】
この構成によれば、表示解像度を低下させることで、例えば、機密の画像を保護できる。
また、前記出力制限手段は、前記権限外の画像の表示輝度及び／またはコントラストを低下させることにより、表示状態を低下させるとしても構わない。
この構成によれば、表示輝度やコントラストを低下させることで表示出力状態を悪化させて、のぞき見されても画像の内容が知られることを防止できる。
【００１０】
また、前記出力制限手段は、カラー表示の前記権限外の画像をモノクロ表示に変更させることにより、表示状態を低下させるとしても構わない。
この構成によれば、モノクロ表示に変更させることで、機密の画像を保護できる。特に、カラー／モノクロの別で視認性に格差が大きい写真画像で有効である。
また、前記出力制限手段は、前記検出された他ユーザに関して、権限外の画像または音声については、その表示状態を変更させ、権限内の画像または音声については、その表示状態を変更させないとしても構わない。
【００１１】
この構成によれば、例えば、他ユーザに見聞きされても構わない権限内の画像または音声については、出力状態を変更させずにそのまま表示させるので、ログイン中のユーザの利便性を損なうことはない。
また、前記閲覧状態変更手段は、出力している画像または音声の中に、検出された他ユーザに関して権限外のものが含まれる場合には、ログイン状態を解除させることにより、前記画像または音声の出力を中止させるととしても構わない。
【００１２】
この構成によれば、ログイン状態を解除させることで、例えば、ログイン中に表示されていた画像の表示が中止されるので、のぞき見を確実に防止できる。
また、前記出力手段は、前記画像を視認可能に面表示する表示パネルであって、
前記出力制限手段は、前記権限外の画像を表示する表示パネルの視野角を狭くすることで、その表示状態を視覚的に低下させるとしても構わない。
【００１３】
この構成によれば、例えば、表示パネルの視野角を狭くすることで、表示パネルのぞき見を防止である。
また、前記出力手段は、前記画像を視認可能に面表示する表示パネルであって、前記出力制限手段は、前記表示パネルの周囲に仕切り板を立てるとする構成でもよい。
この構成によれば、例えば、表示パネルの周囲に遮蔽板を立てることで、のぞき見を防止しつつ、装置正面にいる操作者に対しては良好な視認性を維持できる。
【００１４】
また、さらに、前記他ユーザ検出手段により他ユーザが検出された場合に、検出の旨と出力状態の変更に関する警告メニューを表示する警告メニュー表示手段と、表示された警告メニュー上で操作を受け付ける受付手段とを備え、前記出力制限手段は、受け付け結果に応じて、出力状態を変更させる、または変更させない構成でもよい。
この構成によれば、受け付け結果に応じて、出力状態の変更を行うので、操作者の意向に沿った動作を実現できる。
【００１５】
また、前記メニュー表示手段が表示するメニューは、閲覧状態を変更しない、前記権限外の画像の視認性を低下させる、またはログイン状態を解除する、の選択項目を含む、構成でもよい。
また、前記メニュー表示手段は、検出された他ユーザのユーザ名を表示する構成でもよい。
【００１６】
この構成によれば、他ユーザのユーザ名を表示するので、操作者は周囲を見回すことなく盗み見などの可能性があるユーザ名を確認することができ、より柔軟に操作者の意向に沿った動作を実現できる。
また、前記認知可能な出力が、１以上の音声を再生するものであり、前記出力制限手段は、前記権限外の音声を対象として、その再生状態を低下させる構成でもよい。
【００１７】
この構成によれば、操作者が聞かれたくない音声が盗み聞きされてしまうことを防止することができる。
また、前記出力制限手段は、出力状態の変更後、検出手段による検出中の前記他ユーザが検出されなくなったことを契機として、出力状態を復帰させる構成でもよい。
この構成によれば、例えば、他ユーザの不検出という盗み見などの危険性が去った場合において、出力状態に復帰させて通常の利便性のレベルに戻すことが可能となる。
【００１８】
また、さらに、前記他ユーザが検出されなくなったことを契機として、不検出の旨と出力状態の復帰に関する復帰メニューを表示する復帰メニュー表示手段と、表示された復帰メニュー上で操作を受け付ける受付手段を備え、前記出力制限手段は、受け付け結果に応じて、出力状態を復帰させる、または復帰させないとする構成でもよい。
この構成によれば、出力状態の復帰に関して操作者の意向を反映することができる。
【００１９】
また、さらに、出力すべき画像の画像または音声の音声それぞれの重要度と、ユーザ毎の重要度との少なくとも１つに関する設定内容を含む設定メニューを表示する設定メニュー表示手段と、表示された設定メニュー上で設定を受け付ける設定受付手段とを備え、前記出力制限手段は、受け付けた設定内容に基づいて、出力中の画像または音声が前記他ユーザに関して権限外か否かを判断する構成でもよい。
【００２０】
また、前記設定メニュー表示手段が表示する設定メニューは、複数の画像を含む画像グループと複数の音声を含む音声グループとを区別して表示し、各グループの重要度を一括して設定可能な選択肢を含む構成でもよい。
この構成によれば、出力形態に差異のある画像／音声の別に対応させた形で、しかも容易に重要度を設定することが可能となる。
【００２１】
また、さらに、前記他ユーザ検出手段により他ユーザが検出された場合に、検出の旨と、出力中の画像に対応する画像データ及び／または音声に対応する音声データそれぞれの重要度に関する設定メニューを表示する設定メニュー表示手段を備える構成でもよい。
この構成によれば、例えば、重要度が未設定な画像／音声を出力中である場合に、設定メニューを表示させることで、差し迫った盗み見などの危険を回避することが可能となる。
【００２２】
また、前記出力手段は１以上の画像を視認可能に出力し、前記出力制限手段は、出力中の画像のうちの所定画像について、その画像中の一部領域のみの視認性を低下させる構成でもよい。
この構成によれば、より画像単位よりさらに細緻に出力状態を変更させることが可能となる。
【００２３】
また、本発明に係る画像処理装置は、ログイン中のユーザを識別するユーザ識別手段と、１以上の画像または音声を認知可能に出力する出力手段と、所定の領域内に接近する物を検出する検出手段と、所定物が検出された場合に、出力中の画像または音声のうち、一部の画像または音声を対象として、出力状態を認知困難に変更させる出力制限手段と、を備えることを特徴としている。
【発明を実施するための最良の形態】
【００２４】
＜構成＞
図１は、ＭＦＰ１の外観図である。
画像処理装置であるＭＦＰ（Multi Function Peripheral）１は、操作パネル２を備えている。
図２は、ＭＦＰ１の機能ブロック図である。
【００２５】
ＭＦＰ１は、スキャナ部１０、プリント部１２、画像メモリ部１４、操作パネル部１６、圧縮／復号部１８、メーラ２０、制御部２２、ＲＯＭ２４、ワークメモリ２６、通信部２８、外部Ｉ／Ｆ部３０、ファイル変換部３２、ユーザ認証部３４、閲覧情報管理部３６、他者接近検出部３８、コンテンツ保護部４０、を備える。
スキャナ部１０は、原稿を光学的に読み取って、画像データを生成する。
【００２６】
プリント部１２は、画像データを用いて記録紙上にプリントする。
画像メモリ部１４は、スキャナ部１０により生成された画像データや、通信部２８や外部Ｉ／Ｆ部から入力された画像データを格納する。
操作パネル部１６は、液晶方式タッチパネルとテンキーなどのハードキーとから構成されるユーザインターフェイスであり、メニューの表示やキー入力操作を通じた選択を受け付ける。
【００２７】
圧縮／復号部１８は、画像データの圧縮処理や符号データを伸張する、
メーラ２０は、電子メールの送受信を行う。送受信される電子メールには画像データや音声データが添付されることがある。
制御部２２は、ＣＰＵ等のハードウェアを含んで構成されており、ＭＦＰの各部の動作を統括的に制御する。
【００２８】
ＲＯＭ２４は、ＭＦＰ１の制御プログラム、制御変数を格納する。ワークメモリ２６は、制御部が使用する各種データの一時記憶に利用される。
通信部２８は、モデムやＮＣＵを用いて電話回線による通信や、ＬＡＮを介したネットワーク通信を実現する。
外部Ｉ／Ｆ部３０は、例えばＵＳＢなど、外部接続用のインターフェイスである。
【００２９】
ファイル変換部３２は、画像データのファイル形式及び電子メールのファイル形式などの種々のファイル変換を行う。
ユーザ認証部３４は、ユーザそれぞれに対する認証情報（ユーザ名とパスワードを含む）を保持しており、ＭＦＰ１にログインしようとするユーザの認証を行う。
閲覧情報管理部３６は、画像や音声などのコンテンツと、コンテンツそれぞれに対する閲覧権限とを含む閲覧権限テーブルを保持している。
【００３０】
他者接近検出部３８は、他者の接近を検出し、その者のユーザ名の判定を行う。この検出や判定は、公知の技術を用いて行われ、例えば、他者が携帯している無線ＩＤタグを利用して行う。また、入退室管理装置と組み合わせて、入退室管理装置が検知した入室情報利用しても構わない。
コンテンツ保護部４０は、ログイン中のユーザ名、出力中のコンテンツの閲覧権限、及び接近した他者のユーザ名を勘案して、コンテンツ保護の要否、保護を要する場合のその手法を決定する。
【００３１】
スピーカ４２は、音声データを再生する。
図３に、ユーザ認証部３４が保持するユーザ名テーブル３５を示す。
ユーザ名（ユーザＩＤ）として、「ユーザＡ」、「ユーザＢ」という登録されたユーザ名と、「ゲスト」というユーザ名が含まれている。
図４に、閲覧情報管理部３６が保持する閲覧権限テーブル３７を示す。
【００３２】
テーブル項目「画像名」には、「画像ｘ」、「画像ｙ」、「画像ｚ」が記載されている。順に、コアラ、ネコ、ゾウの画像である（図６参照）。
テーブル項目「閲覧権限のタイプ」の、「すべてのユーザに許可」は、「ゲスト」を含む全てのユーザ名に閲覧を許可する意味である。「登録ユーザに許可」は、「ゲスト」を除いた「ユーザＡ」「ユーザＢ」などのアカウント登録されたユーザ名には閲覧を許可する意味である。「「ユーザＡ」のみに許可」は、「ユーザＡ」にのみ閲覧を許可する意味であり、最も閲覧権限が厳しい設定となっている。
【００３３】
＜動作例１＞
図５は、ＲＯＭ２４に格納された制御プログラムがＭＦＰ１に実行させる処理内容を示すフローチャートである。
まず、閲覧権限が設定された画像を含む画面を表示する（S11）。
図６は、ステップＳ１１における画面例などを示す図である。
【００３４】
図６（ａ）に示すように、ＭＦＰ１の操作パネル２の前には、ログイン済みのユーザＡが存在し、操作パネル２を操作中である。
図６（ｂ）は、操作パネル２の画面５０を示す図であり、画面５０内には、画像ｘ，画像ｙ，画像ｚのサムネイル５１ｘ，５１ｙ，５１ｚが表示されている。なお、サムネイル５１ｘ，５１ｙ，５１ｚはいずれも押下することにより選択可能であり、押下すると白黒反転表示に切り替わる。
【００３５】
「全選択」キー５４、「全解除」キー５５、「リスト表示」キー５６、「詳細」キー５７、「中止」キー５８もそれぞれ押下により選択可能である。
「全選択」キー５４は、表示中のサムネイル５１ｘ〜５１ｚを全て選択するキーである。「全解除」キー５５は、選択中のサムネイルの選択を全て解除するキーである。
「リスト表示」キー５６は、サムネイル表示からリスト表示への表示を切り替えるキーである。
【００３６】
「詳細」キー５７は、選択中のサムネイルの詳細へ切り替えるキーである。
このように閲覧権限が設定された画像を表示中に、他者の接近を検出すると（S12）、接近した他者のユーザ名を判定する（S13）。接近の基準は、表示中の画像が目視される可能性のある距離、例えばＭＦＰ１の半径数ｍの距離を基準とすることができる。
なお、検出した他者のユーザ名が未登録や不明の場合には、「ゲスト」ユーザとみなしても構わない。
【００３７】
そして、判定されたユーザ名が現在表示している画像の閲覧権限を持たないならば（S14:No）、閲覧権限外の画像の表示状態を変更する（S15）。
図７に、閲覧権限を持たないユーザが接近した例を示す。
ＭＦＰ１にユーザＢが接近した場合には[図７（ａ）]、ユーザＢが閲覧権限を持たない画像ｚに関する表示状態が変更される[図７（ｂ）]。具体的には、画面６０内のサムネイル６１ｚだけがカラー表示からモノクロ表示へと変更されており、視認性が低下している。このため、サムネイル６１ｚがユーザＡの肩越しにユーザＢに見られたとしても、画像の内容を知られることを防止することができる。
【００３８】
図８に、閲覧権限を持たないユーザが接近した別の例を示す。
ＭＦＰ１にユーザＢとユーザＣの２人が接近した場合には[図８（ａ）]、ユーザＢ、ユーザＣのいずれかが閲覧権限を持たない画像に関する表示状態が変更される[図８（ｂ）]。画面７０内のサムネイル７１ｙ，７１ｚは表示解像度が落とされて表示されている。
図５に戻って、他者の検出状態が不検出に変わり（S16:YES）、変更した表示状態を元に戻す（S17）。
【００３９】
なお、判定されたユーザ名が現在表示している画像の閲覧権限を持つ場合には、元の画面表示を続ける(S14:Yes，S18)
＜動作例２＞
動作例１では、ユーザの接近に伴い自動的に表示状態を変更していたが、本動作例２では、ユーザに表示状態の変更の可否を問い合わせるものである。
【００４０】
図９は、ＲＯＭ２４に格納された制御プログラムがＭＦＰ１に実行させる処理内容を示すフローチャートである。図９のフローチャートにおいては、図５のステップと同じブロックには同じステップ番号を付している。
まず、ユーザのログインを行う（S21）。このログイン認証は、例えば図１０の画面８０に示すように、ユーザ名ボックス８１及びパスワードボックス８２内へのフォームの入力と、「ログイン」キーによる入力確定を経て行われる。
【００４１】
ユーザのログイン後（S21:Yes）、画面表示中に、他者の接近を検出すれば（S11，S12:Yes）、その旨を警告する警告メニューを表示する（S22）。
図１１は、警告メニューを含む操作パネル２の画面９０を示す図である。
画面内には、「ユーザＢが近づいてきています。」という接近するユーザ名が表示され、メニューの選択項目として、ログアウトを示す「認証状態解除」キー９１、表示出力状態の低下を示す「カラー表示削除」キー９２、「継続操作」キー９３を含んでいる。
【００４２】
「認証状態解除」キー９１が選択されると（S23:「ログアウト」）、ログアウトを実行する（S25）。
「カラー表示削除」キーが選択されると（S23:「表示出力状態低下」）、閲覧権限外の画像の表示状態を変更する（S15）。他者の検出状態が不検出に変われば、復帰メニューを表示して復帰の許否を受け付ける（S16:Yes,S24）。復帰メニューは、例えば、「ユーザＢが離れて行きました。」というユーザが離れた旨の表示と、復帰するかどうかの選択項目を含むものである。
【００４３】
「継続操作」キー９３が選択されると（S23:「継続操作」）、元の画面状態を続ける（S26）。
＜補足＞
（１）閲覧権限の設定に関して
図１２は、閲覧権限の設定画面を示す図であり、（ａ）は設定初期画面、（ｂ）は、コンテンツごとに重要度レベルを設定する例、（ｃ）は、コンテンツごとにユーザ単位で設定する例を示す。
【００４４】
図１２（ａ）に示すように、画面１００内には、閲覧権限の設定対象である画像ｘ，画像ｙ，画像ｚがブロック表示されている。
図１２（ｂ）の画面１０２では、画像ｘについての重要度レベル「レベル０」「レベル１」「レベル２」が選択可能となっている。例えば、「レベル０」はすべてのユーザに許可、「レベル１」は登録ユーザにのみ許可、「レベル２」は特定のユーザにのみ許可する設定である（図４参照）。
【００４５】
図１２（ｃ）の画面１０４では、重要度レベルとは異なり、ユーザごとに閲覧権限を設定する例である。なお、図中の「参照許可グループ設定」とは、複数の画像データをまとめた画像グループを一括して設定するものである。「参照許可レベル設定」が選択されると、コンテンツごとに重要度レベルを設定する画面[図１２（ｂ）]に遷移する。
また、画像や音声のコンテンツに閲覧権限を設定する代わりに、図１３の一覧表４５に示すように、ユーザ間の関係に着目して閲覧権限を設定しても構わない。図１３には、「ユーザＡ」から「ユーザＤ」の４名について、「閲覧元」，「閲覧先」の関係表が示されている。
【００４６】
この表の例では、「ユーザＡ」は「ユーザＢ」〜「ユーザＤ」がログイン中の場合に横から画像をのぞき見ることが可能であるのに対して、「ユーザＤ」は「ユーザＡ」〜「ユーザＣ」がログイン中の場合には画像が保護されのぞき見ることができない設定となっている。
（２）閲覧権限が未設定の場合
閲覧権限が未設定の画像を表示中である場合には、ログイン中のユーザが意図せず他者に画像がのぞき見される危険性が高い。このため、他者の接近時に閲覧権限の設定メニューを表示させることで、適切な閲覧権限設定の機会をユーザに与えるようにしてもよい。
【００４７】
図１４は、ＲＯＭ２４に格納された制御プログラムがＭＦＰ１に実行させる処理内容を示すフローチャートである。
閲覧権限が未設定の画像を含む画面を表示中に、他者の接近を検出すると（S31，S12:Yes）、画像の閲覧権限に関する設定メニューを表示する（S32）。
（３）保護方法について
なお、表示中の画像の保護方法としては、上述で説明したカラー表示→モノクロ表示や解像度を落とす手法のみならず、例えば、（Ａ）画像の表示輝度及び／またはコントラストを低下させる、（Ｂ）操作パネルの視野角（上下左右）を狭くする、などの方法を採用しても構わない。液晶方式の操作パネルにおける視野角の切り替えは、公知の液晶制御技術を利用すれば可能である。
【００４８】
また、操作パネルの周囲に遮蔽板立てることで、表示中の画像を保護してもよい。例えば、図１５に示すように、操作パネル２の画面３の左右端には、仕切り板４ａ，４ｂが取り付けられている。仕切り板４ａ，４ｂは、アクチュエータ（図示しない。）により画面３と垂直方向にスライド可能である。図１５（ａ）は、仕切り板４ａ，４ｂが画面３の左右端の収納スペースに収納された通常時、図１５（ｂ）は、仕切り板４ａ，４ｂが立てられた画像保護時を示している。左右の仕切り板４ａ，４ｂにより、左右方向からののぞき見に対して有効である。また、操作パネル２の正面に居るユーザに対しては、良好な表示状態を維持することが可能である。
【００４９】
さらに、サムネイル画像中の一部領域のみを保護してもよい。例えば、機密情報を含むサムネイル画像を表示中に、機密情報が記載された数行文の領域だけを保護することが考えられる。
（４）保護コンテンツについて
上述の説明においては、保護コンテンツとして画像を中心に説明したが、スピーカ４２で再生する音声についても同様に出力状態を変更する構成としても構わない。
【００５０】
この変更としては、接近するユーザに聞きとりにくくするために、例えば（Ａ）音量を下げる、（Ｂ）音声を変声させることなどが考えられる。
（５）表示状態変更のトリガについて
上述の説明においては、ＭＦＰ１の他ユーザの接近を画像表示状態変更のトリガとしているが、接近に限らず例えばＭＦＰ１の周囲に他ユーザが存在する場合をトリガとしても構わない。
【００５１】
また、ユーザの識別までをせずに、単にＭＦＰ１への物体の接近をトリガとしてもよい。
（６）本発明に係る画像処理装置は、画像処理装置における出力方法として適用でき、さらに、この方法をコンピュータにより実現するプログラムに適用することもできる。そのプログラムとしては、例えば磁気テープ、フレキシブルディスク等の磁気ディスク、DVD、CD-ROM、CD-R、MO、PDなどの光記録媒体、Smart Media（登録商標）などのフラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００５２】
また、上記プログラムは、上記に説明した処理をコンピュータに実行させるための全てのモジュールを含んでいる必要はなく、例えば通信プログラムやオペレーティングシステム（OS）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【産業上の利用可能性】
【００５３】
本発明に係る画像処理装置によれば、操作者の利便性を極力維持しつつ、装置の設置環境の動的な変化に応じて適切な情報保護を実現することが可能となる。
【図面の簡単な説明】
【００５４】
【図１】ＭＦＰの外観図である。
【図２】ＭＦＰの機能ブロック図である。
【図３】ユーザ名テーブルを示す。
【図４】閲覧権限テーブルを示す。
【図５】制御プログラムがＭＦＰに実行させる処理内容を示すフローチャートである。
【図６】（ａ）はＭＦＰの操作パネルと、その前に立つユーザＡとを示し、（ｂ）は、操作パネルの画面を示す。
【図７】（ａ）はユーザＡが操作中のＭＦＰと、これに接近するユーザＢとを示し、（ｂ）は、操作パネルの画面を示す。
【図８】（ａ）はユーザＡが操作中のＭＦＰと、これに接近するユーザＢ，ユーザＣとを示し、（ｂ）は、操作パネルの画面を示す。
【図９】制御プログラムがＭＦＰに実行させる処理内容を示すフローチャートである。
【図１０】操作パネルのログイン画面を示す。
【図１１】操作パネルの警告メニューを含む画面を示す。
【図１２】閲覧権限の設定画面を示す。
【図１３】ユーザ間の関係に基づいた閲覧権限の一覧表を示す。
【図１４】制御プログラムがＭＦＰに実行させる処理内容を示すフローチャートである。
【図１５】ＭＦＰの操作パネルを示す外観図である。
【符号の説明】
【００５５】
１  ＭＦＰ
２  操作パネル
４ａ，４ｂ  仕切り板
２２  制御部
２４  ＲＯＭ
３４  ユーザ認証部
３５  ユーザ名テーブル
３６  閲覧情報管理部
３７  閲覧権限テーブル
３８  他者接近検出部
４０  コンテンツ保護部
４２  スピーカ
３，５０，６０，７０，８０，９０，１００，１０２，１０４  操作パネル画面
５１ｘ，５１ｙ，５１ｚ，６１ｚ，７１ｙ，７１ｚ  サムネイル
【図１】
2008283578.tif 000003
【図２】
2008283578.tif 000004
【図３】
2008283578.tif 000005
【図４】
2008283578.tif 000006
【図５】
2008283578.tif 000007
【図６】
2008283578.tif 000008
【図７】
2008283578.tif 000009
【図８】
2008283578.tif 000010
【図９】
2008283578.tif 000011
【図１０】
2008283578.tif 000012
【図１１】
2008283578.tif 000013
【図１２】
2008283578.tif 000014
【図１３】
2008283578.tif 000015
【図１４】
2008283578.tif 000016
【図１５】
2008283578.tif 000017